(57)【特許請求の範囲】
【請求項１】
円孔部とその両側の矩形孔部とからなる開蓋操作具の差込み孔を有する蓋の当該差込み孔を閉塞して施錠するための閉塞具であって、
前記蓋への装着状態において蓋の上面に当接して前記差込み孔を閉鎖するトッププレート部と、差込み孔の円孔部に嵌め込まれ上下に開口するシリンダ部とを有する閉塞具の本体と、
上端において前記本体のトッププレートの下面に固着され前記シリンダ部の両側をこれに沿って下方へ延びる平行一対の脚部と、この脚部の下端間を接続する支持板部とを具備し、前記蓋への装着状態において前記差込み孔の矩形孔部に嵌め込まれる枠体と、
前記本体における前記シリンダ部内に軸周り回転自在に挿入される内筒部と、シリンダ部から下方へ延出し下端において前記枠体の支持板部に回転自在に支持されるねじ棒部とを有するロータと、
前記ロータの内筒部内に収容され、キーの挿入で整列することによって前記シリンダ部との係合が解けてロータと一体に回転可能なディスクタンブラと、
前記枠体の内側に位置して前記ロータのねじ棒部に螺合され、枠体の脚部に当接して回り止めされることにより上下動し、上方位置において前記蓋の差込み孔の孔縁部下面に締め付けられる止め金具と、を具備し、
前記枠体の脚部は、前記ロータの締め付け方向回転時に止め金具を前記差込み孔の長軸にほぼ直交する方向に配置して回り止めする第１の当接部と、前記ロータの緩め方向回転時に止め金具を差込み孔の長軸方向に配置して回り止めする第２の当接部とを具備し、
前記キーにより前記ロータを緩め方向に所定回数回転させて前記止め金を前記蓋の下面から離した状態で、前記差込み孔から抜き取り可能としたことを特徴とするマンホール蓋における開蓋操作具差込み孔の閉塞具。
【発明の詳細な説明】
【技術分野】
【０００１】
この発明は、電線・ケーブルなどを地中に埋設する共同溝等への進入口であるマンホールの蓋に装着され、蓋に設けられた開蓋操作具差込孔を通常時は使用不可の状態に確保するのに使用されるに閉塞具に関する。
【背景技術】
【０００２】
従来、開蓋操作具差込孔の閉塞具として、特許文献１に記載されたものが知られている。閉塞具は、閉塞具本体のスカート部にロック軸収納部と錠前ユニット収納部を形成してあり、ロック軸に螺合した止め金板がロック軸の回転によって上下動して開蓋操作具差込み孔の孔縁部下面に密接することによって、閉塞具本体が蓋に締付け固定される。ロック軸を回転させただけでは、止め金板の先端部は依然として開蓋操作具差込み孔の孔縁部下面の下方空間に残されており、スカート部を開蓋操作具差込み孔から抜取るときには、止め金板の先端部が障害となる。スカート部の開蓋操作具差込み孔からの抜き取りを可能にするためには、止め金板の先端部を開蓋操作具差込み孔の下方空間内に移動させる必要があるが、錠前ユニットが障害となる。このため、錠前ユニットを錠前ユニット収納部から抜き取り、止め金板の先端部の横幅だけトッププレート部を蓋に沿ってスライドさせる。
【先行技術文献】
【特許文献】
【０００３】
【特許文献１】特開２０１１−１２４９９号公報
【発明の概要】
【発明が解決しようとする課題】
【０００４】
上記従来の開蓋操作具差込孔の閉塞具においては、蓋への着脱の際に、操作ハンドルによるロック軸の回転操作、キー操作を伴う錠前ユニットの着脱操作、さらに開蓋操作具差込み孔に沿った所定方向への移動操作が必要で、手数を要するばかりでなく、取り外し時に作業者がとまどうことがあるという難点がある。
したがって、この出願に係る発明は、上下垂直方向への着脱操作と、キーによる施解錠操作のみにより、開蓋操作具差込孔への着脱、施解錠が容易に行える閉塞具を提供することを目的とする。
【課題を解決するための手段】
【０００５】
以下、添付図面の符号を参照して説明するが、本発明はこれに限定されるものではない。
上記課題を解決するため、この出願に係る発明の閉塞具１は、蓋４１への装着状態において蓋４１の上面に当接して蓋操作具の差込み孔４２を閉鎖するトッププレート部７と、差込み孔４２の円孔部４２ａに嵌め込まれ上下に開口するシリンダ部８とを有する閉塞具の本体２と、上端においてトッププレート７の下面に固着されシリンダ部８の両側をこれに沿って下方へ延びる平行一対の脚部９と、この脚部９の下端間を結合する支持板部１０とを具備し、蓋４１への装着状態において差込み孔４２の矩形孔部４２ｂに嵌め込まれる枠体３と、シリンダ部８内に軸周り回転自在に挿入される内筒部１２と、シリンダ部８から下方へ延出し下端において枠体の支持板部１０に回転自在に支持されるねじ棒部１３とを有するロータ４と、ロータの内筒部１２内に収容され、キーの挿入で整列することによってシリンダ部８との係合が解けてロータ４と一体に回転可能な複数のディスクタンブラ５と、枠体３の内側に位置してロータ４のねじ棒部１３に螺合され、枠体の脚部９に当接して回り止めされることにより上下動し、上方位置において蓋４１の差込み孔の孔４２の縁部下面に締め付けられる止め金具６とを具備する。枠体３の脚部９は、ロータ４の締め付け方向回転時に止め金具６を差込み孔４２の長軸にほぼ直交する方向に配置して回り止めする第１の当接部９ｃと、ロータ４の緩め方向回転時に止め金具６を差込み孔４２の長軸方向に配置して回り止めする第２の当接部９ｄとを具備する。キーによりロータ４を緩め方向に所定回数回転させて止め金６を蓋４１の下面から離した状態で、差込み孔４２から抜き取り可能とした。
【発明の効果】
【０００６】
この出願に係る閉塞具によれば、上下垂直方向への着脱操作と、キーによる施解錠操作のみにより、差込み孔への着脱、施解錠が容易に行える。
【図面の簡単な説明】
【０００７】
【図１】本発明の実施形態に係る閉塞具を蓋に装着して施錠した状態の正面図である。
【図２】図１の閉塞具の平面図である。
【図３】図１の閉塞具の底面図である。
【図４】図１の閉塞具の側面図である。
【図５】図１の閉塞具の断面図である。
【図６】図１の閉塞具の解錠状態の断面図である。
【図７】図６のVII−VII線位置の断面図であり、（Ａ）は解錠状態、（Ｂ）は施錠状態を示す。
【発明を実施するための形態】
【０００８】
図面を参照してこの発明の実施の形態を説明する。
閉塞具１を適用するマンホールの蓋４１は、開蓋操作具の差込み孔４２を有する。差込み孔４２は、円孔部４２ａとその両側の矩形孔部４２ｂとからなる。円孔部４２ａの直径が、矩形孔部４２ｂの幅寸法よりもやや大きく形成される。蓋４１の表面側の差込み孔４２の周辺には、凹部４３が形成される。閉塞具１は、差込み孔４２を閉塞して施錠するために、蓋４１に着脱されるものである。
【０００９】
図５，図６に示すように、閉塞具１は、本体２と、本体２に組み付けられる枠体３、ロータ４、ディスクタンブラ５、止め金具６を具備する。本体２のシリンダ部８と、ロータ４と、ディスクタンブラ５とで、シリンダ錠（図示の実施形態ではサイドバー式ディスクシリンダ錠）を構成している。
【００１０】
閉塞具の本体２は、トッププレート部７と、シリンダ部８とを有する。トッププレート部７は、蓋４１の凹部４３内に嵌る平面視形状であり、装着状態において、蓋４１の上面に当接して差込み孔４２を閉鎖する。シリンダ部８は、トッププレート部７のほぼ中央部から下方へ延出し、上下に開口している。シリンダ部８の外径は、図２、図４に示すように、差込み孔４２の円孔部４２ａのそれより小である。シリンダ部８は、差込み孔４２の円孔部４２ａに嵌め込まれる。
【００１１】
枠体３は、概略コ字状に屈折した板状体で構成され、平行一対の脚部９と、脚部９間を結合する支持板部１０とを具備する。枠体３は、平面視における外形が差込み孔４２の矩形孔部４２ｂの内側に収まる矩形状であり、装着時に矩形孔部４２ｂに嵌め込まれる。脚部９は、互いに平行に対向する主体部９ａと、主体部９ａの縁から９０°屈折して延出する保持板部９ｂとを具備し、上端において本体のトッププレート２の下面にボルト１１で固着され、下端において支持板部１０で結合される。保持板部９ｂは、脚部９の、互いに反対側の縁に設けられる。
【００１２】
ロータ４は、上部の内筒部１２と、下部のねじ棒部１３とを具備する。内筒部１２は、本体２のシリンダ部８内に軸周り回転自在に挿入される。ねじ棒部１３は、シリンダ部８から下方へ延出し、下端において枠体の支持板部１０に回転自在に支持される。
【００１３】
複数のディスクタンブラ５が、ロータ４の内筒部１２内に収容される。ディスクタンブラ５は、図示しないキーの挿入によって整列することにより、シリンダ部８との係合が解けてロータ４と一体に回転可能である。
【００１４】
止め金具６は、板材をほぼコ字状に屈折してなり、基板部１４と、基板部１４の両端から直角に上方へ延出する締め付け板部１５とを具備する。基板部１４は、ねじ棒部１３に螺合されるねじ孔１４ａを有する。止め金具６は、枠体３の内側に位置して、ロータのねじ棒部１３に螺合され、枠体３の脚部９に当接して回り止めされることにより上下動し、図４に示すように、上方位置において蓋４１の差込み孔４２の孔縁部下面に締め付けられる。
【００１５】
枠体３の脚部９は、止め金具６の締め付け板部１５に当接する第１、第２の２つの当接部９ｃ、９ｄを有する。第１の当接部９ｃは、ロータ４を締め付け方（図２において時計方向）に回転させる時に、図７（Ｂ）に示すように、止め金具６の締め付け板部１５に当接してこれを回り止めする。第２の当接部９ｄは、ロータ４を緩め方向（図２において反時計方向）に回転させる時に、図７（Ａ）に示すように、止め金具６の締め付け板部１５に当接してこれを回り止めする。止め金具６は、図７（Ｂ）に示すように、当接部９ｃに当接した状態で、基板部１４を差込み孔４２の長軸にほぼ直交する方向に配置され、図７（Ａ）に示すように、当接部９ｄに当接した状態で、基板部１４を差込み孔４２の長軸に沿う方向（枠体３の内側に収容される状態）に配置される。
【００１６】
したがって、図示しないキーを差し込んで、ロータ４を締め付け方向（図２において時計方向）に回転させると、止め金具６が上昇し、図４に示すように、蓋４１を締め付ける。ロータ４を反対方向に回転させると、止め金具６が下降し、図４に示すように、枠体３の支持板部１０に当接して停止した状態で図７（Ａ）に示すように、枠体３の内側に収容される。この状態で、閉塞具１の下部は、支障なく差込み孔４２を上下方向に通過する。
【００１７】
使用に当たっては、止め金具６を最下端に配置した状態（図６，図７）で、閉塞具１の下部を差込み孔４２に挿入して、トッププレート７を蓋４１の凹部４３上に配置する。図示しないキーを鍵孔に挿入して図２において時計方向へ所定回数回転させると、止め金具６が上昇し、蓋４１を締め付ける（図４）。この状態でキーを抜き取れば、閉塞具１は、差込み孔４２を閉塞した状態で錠止される。
【００１８】
なお、止め金具６が蓋４１を締め付ける状態では、止め金具６は図７（Ｂ）の位置にあり、差込み孔４２の長軸に対して直角より傾いて配置されることになるが、図１ないし図５では、簡明のためにほぼ直角に配置して示した。
【符号の説明】
【００１９】
１    閉塞具
２    閉塞具の本体
３    枠体
４    ロータ
５    ディスクタンブラ
６    止め金具
７    トッププレート
８    シリンダ部
９    脚部
９ａ  主体部
９ｂ  保持部
９ｃ  第１の当接部
９ｄ  第２の当接部
１０  支持板部
１１  ボルト
１２  内筒部
１３  ねじ棒部
１４  基板部
１４ａ  ねじ孔
１５  締め付け板部
４１  蓋
４２  開蓋操作具の差込み孔
４２ａ  円孔部
４２ｂ  矩形孔部
４３  凹部
【図１】
0005559822.tif 000002
【図２】
0005559822.tif 000003
【図３】
0005559822.tif 000004
【図４】
0005559822.tif 000005
【図５】
0005559822.tif 000006
【図６】
0005559822.tif 000007
【図７】
0005559822.tif 000008